【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
本願明細書に記載の発明。
【手続補正２】
【補正対象書類名】明細書
【補正対象項目名】００１３
【補正方法】変更
【補正の内容】
【００１３】
この概要は、本出願の教示のいくつかの概略であり、本主題を限定する又は網羅する扱いを意図するものではない。さらなる詳細は、詳細な説明及び添付の特許請求の範囲に記載されている。他の態様は、当業者であれば、限定の意味と解釈されるべきものではない以下の詳細な説明を読んで理解し、その一部を構成する、限定の意味と解釈されるべきものではない図面を見れば明らかになるであろう。本発明の範囲は、添付の特許請求の範囲及びその法的等価物によって規定される。
本発明は、例えば、以下を提供する。
（項目１）
コーティング装置であって、
コーティング塗布ユニットを備え、前記コーティング塗布ユニットが、
流体アプリケータ、
第１の回転機構及び第２の回転機構、並びに
制御装置を備え、前記制御装置により、前記第１の回転機構及び前記第２の回転機構が、実質的に同じ速度で医療器具を回転させ、前記速度が、５００回転／分を超える速度である、コーティング装置。
（項目２）
前記コーティング塗布ユニットが固定され、前記第１の回転機構及び前記第２の回転機構が、前記医療器具の長手方向軸の方向に移動する、項目１及び３〜１１のいずれか１項に記載のコーティング装置。
（項目３）
前記第１の回転機構及び前記第２の回転機構が固定され、前記コーティング塗布ユニットが、前記医療器具の長手方向軸の方向に移動する、項目１〜２及び４〜１１のいずれか１項に記載のコーティング装置。
（項目４）
前記第１の回転機構及び前記第２の回転機構の少なくとも一方に動力を供給する電気モータをさらに備える、項目１〜３及び５〜１１のいずれか１項に記載のコーティング装置。
（項目５）
前記流体アプリケータに流体連通した流体ポンプをさらに備える、項目１〜４及び６〜１１のいずれか１項に記載のコーティング装置。
（項目６）
前記流体アプリケータが、接触流体アプリケータを含む、項目１〜５及び７〜１１のいずれか１項に記載のコーティング装置。
（項目７）
前記流体アプリケータがＵ字溝を備える、項目１〜６及び８〜１１のいずれか１項に記載のコーティング装置。
（項目８）
前記流体アプリケータのＵ字溝が、横方向中心点から離れる曲率半径を有する、項目１〜７及び９〜１１のいずれか１項に記載のコーティング装置。
（項目９）
流体オリフィスが、前記流体アプリケータの横方向中心点から離れた点にある前記流体アプリケータによって画定されている、項目１〜８及び１０〜１１のいずれか１項に記載のコーティング装置。
（項目１０）
前記流体アプリケータが、流体導管、接触バー、及びコネクタを備え、前記コネクタが、前記接触バーを前記流体アプリケータに接続し、かつ前記接触バーが前記流体導管に対して移動したときにばねの力を発揮する、項目１〜９及び１１のいずれか１項に記載のコーティング装置。
（項目１１）
前記第１の回転機構及び前記第２の回転機構が、バルーンカテーテルを回転させるように構成されている、項目１〜１０のいずれか１項に記載のコーティング装置。
（項目１２）
コーティング方法であって、
回転機構を用いて５００回転／分を超える速度で医療器具を回転させるステップと、
前記医療器具に流体アプリケータを接触させるステップと、
前記流体アプリケータを用いて前記器具にコーティング液を塗布するステップと、を含む、方法。
（項目１３）
前記回転機構が、第１の回転機構及び第２の回転機構を含む、項目１２及び１４〜１８のいずれか１項に記載の方法。
（項目１４）
前記医療器具を前記第１の回転機構及び前記第２の回転機構で固定するステップさらに含む、項目１２〜１３及び１５〜１８のいずれか１項に記載の方法。
（項目１５）
前記流体アプリケータを前記医療器具の長手方向軸に沿って移動させるステップをさらに含む、項目１２〜１４及び１６〜１８のいずれか１項に記載の方法。
（項目１６）
前記流体アプリケータを用いてバルーンの表面にコーティング液を塗布するステップが、前記医療器具の表面と前記流体アプリケータとの直接接触によって達成される、項目１２〜１５及び１７〜１８のいずれか１項に記載の方法。
（項目１７）
前記コーティング液が、１〜５０センチポアズの粘度を有する、項目１２〜１６及び１８のいずれか１項に記載の方法。
（項目１８）
前記コーティング液が、５０〜５０００センチポアズの粘度を有する、項目１２〜１７のいずれか１項に記載の方法。
（項目１９）
医療器具であって、
内腔を画定しているシャフトと、
前記シャフトに取り付けられた膨張可能なバルーンと、
前記シャフトの少なくとも一部の上に設けられたコーティング層と、を備え、
前記シャフトの表面が、高い点及び低い点を有し、前記コーティング層の厚さが、前記高い点及び前記低い点の両方で実質的に同じである、医療器具。
（項目２０）
前記医療器具がバルーンカテーテルである、項目１９に記載の医療器具。
（項目２１）
医療器具であって、
内腔を画定しているシャフトと、
前記シャフトに取り付けられた、複数の長手方向のひだを有する膨張可能なバルーンと、
前記バルーンの一部の上に設けられたコーティング層であって、前記長手方向のひだに対応する開口を画定している、コーティング層と、を備える、医療器具。
（項目２２）
前記コーティング層が潤滑性を付与する、項目２１に記載の医療器具。
（項目２３）
コーティング装置であって、
モータと、
前記モータに機械的に連係された回転接触部材であって、回転もその長手方向に沿った移動もしないコーティングされる器具の周りを回転するように構成された、回転接触部材と、
前記回転接触部材に近接したオリフィスを備える流体アプリケータと、
前記流体アプリケータに流体連通した流体ポンプと、
前記回転接触部材及び前記流体アプリケータを支持するベース部材と、を備える、コーティング装置。
（項目２４）
前記回転接触部材が螺旋形状を有する、項目２３及び２５〜４４のいずれか１項に記載のコーティング装置。
（項目２５）
前記回転接触部材が螺旋型ワイヤを含む、項目２３〜２４及び２６〜４４のいずれか１項に記載のコーティング装置。
（項目２６）
前記螺旋型ワイヤが形状記憶金属を含む、項目２３〜２５及び２７〜４４のいずれか１項に記載のコーティング装置。
（項目２７）
前記螺旋が、その回転により、コーティング組成物が、前記回転接触部材が移動するときに、前記コーティングされる器具の長手方向軸に沿って同じ方向に、前記コーティングされる器具の表面に沿って運ばれるように向いている、項目２３〜２６及び２８〜４４のいずれか１項に記載のコーティング装置。
（項目２８）
前記回転接触部材が、前記コーティングされる器具が適合する溝を備える、項目２３〜２７及び２９〜４４のいずれか１項に記載のコーティング装置。
（項目２９）
前記回転接触部材が複数の剛毛を備える、項目２３〜２８及び３０〜４４のいずれか１項に記載のコーティング装置。
（項目３０）
前記回転接触部材がブラシを備える、項目２３〜２９及び３１〜４４のいずれか１項に記載のコーティング装置。
（項目３１）
前記回転接触部材が、ハウジングを備え、前記溝が、前記ハウジングによって画定された中心内腔を備える、項目２３〜３０及び３２〜４４のいずれか１項に記載のコーティング装置。
（項目３２）
前記中心内腔の直径が、一端で他端よりも大きい、項目２３〜３１及び３３〜４４のいずれか１項に記載のコーティング装置。
（項目３３）
前記内腔が、前記ハウジングの一端で漏斗形状を有する、項目２３〜３２及び３４〜４４のいずれか１項に記載のコーティング装置。
（項目３４）
前記ハウジングが円筒状である、項目２３〜３３及び３５〜４４のいずれか１項に記載のコーティング装置。
（項目３５）
前記回転部材が、約５０〜４００ＲＰＭの速度で回転する、項目２３〜３４及び３６〜４４のいずれか１項に記載のコーティング装置。
（項目３６）
前記回転部材が、約１００〜２００ＲＰＭの速度で回転する、項目２３〜３５及び３７〜４４のいずれか１項に記載のコーティング装置。
（項目３７）
前記溝が、約０．５ｍｍ〜２０ｍｍの半径を有する、コーティングされる器具を収容することができる、項目２３〜３６及び３８〜４４のいずれか１項に記載のコーティング装置。
（項目３８）
前記コーティングされる器具に接触する駆動輪をさらに備え、前記駆動輪が、前記回転接触部材を介して、前記コーティングされる器具を引っ張る又は押す、項目２３〜３７及び３９〜４４のいずれか１項に記載のコーティング装置。
（項目３９）
前記駆動輪が、前記回転接触部材によって前記コーティングされる器具を０．１〜１．５ｃｍ／秒の速度で引っ張る、項目２３〜３８及び４０〜４４のいずれか１項に記載のコーティング装置。
（項目４０）
前記回転接触部材が、開いた構造及び閉じた構造をとることができ、前記コーティングされる器具が、前記回転接触部材が開いた構造にあるときに、前記回転接触部材に挿入する、又は前記回転接触部材から取り出すことができる、項目２３〜３９及び４１〜４４のいずれか１項に記載のコーティング装置。
（項目４１）
前記モータと前記回転接触部材との間で駆動力を伝達する駆動軸をさらに備え、前記駆動軸が中空であり、前記コーティングされる器具の一部が前記駆動軸内に配置される、項目２３〜４０及び４２〜４４のいずれか１項に記載のコーティング装置。
（項目４２）
前記ベース部材がハンドルを備える、項目２３〜４１及び４３〜４４のいずれか１項に記載のコーティング装置。
（項目４３）
前記ベース部材が、６軸ロボットアームに取り付けられている、項目２３〜４２及び４４のいずれか１項に記載のコーティング装置。
（項目４４）
前記内腔が、その内面にねじ山を備える、項目２３〜４３のいずれか１項に記載のコーティング装置。
（項目４５）
医療器具をコーティングする方法であって、
接触部材を非回転医療器具の外径の周りを回転させるステップと、
前記接触部材に近接した位置で、前記非回転医療器具の前記外径にコーティング液を塗布するステップと、
前記接触部材が、前記非回転医療器具の長手方向軸に対して移動するように、前記接触部材及び前記非回転医療器具の少なくとも一方を他方に対して移動させるステップと、を含む、方法。
（項目４６）
前記接触部材が螺旋形状を有する、項目４５及び４７〜５２のいずれか１項に記載の方法。
（項目４７）
前記螺旋型接触部材の回転により、コーティング組成物が、前記回転接触部材が移動するときに、前記非回転医療器具の長手方向軸に沿って同じ方向に、前記非回転医療器具の表面に沿って移動する、項目４５〜４６及び４８〜５２のいずれか１項に記載の方法。
（項目４８）
前記コーティング液を塗布するステップが、前記コーティング液を前記接触部材に塗布するステップを含む、項目４５〜４７及び４９〜５２のいずれか１項に記載の方法。
（項目４９）
前記接触部材を回転させるステップの前に、前記非回転医療器具を前記接触部材に挿入するステップをさらに含む、項目４５〜４８及び５０〜５２のいずれか１項に記載の方法。
（項目５０）
前記接触部材を約５０〜４００ＲＰＭの速度で回転させるステップをさらに含む、項目４５〜４９及び５１〜５２のいずれか１項に記載の方法。
（項目５１）
前記接触部材を約１００〜２００ＲＰＭの速度で回転させるステップをさらに含む、項目４５〜５０及び５２のいずれか１項に記載の方法。
（項目５２）
前記回転接触部材によって、前記コーティングされる器具を０．１〜１．５ｃｍ／秒の速度で引っ張る又は押すステップをさらに含む、項目４５〜５１のいずれか１項に記載の方法。